(57)【特許請求の範囲】
【請求項１】
窓近辺の窓枠、柱、壁等の建築構造物に当接される当接部、及び、該当接部から突出し、先端部分に物干し竿が載置されるアーム、を有する本体と、
カーテンレールに前記本体を吊下げるために該カーテンレールに取付けられる取付具であり、前記アームに組付け位置を調節可能に組付けられた取付具と
を備え、
該取付具は、
Ｌ字状のフックと、
下部にて前記アームをスライド可能に挟持し、上部にて前記フックをスライド可能に挟持する一対の挟持片と
を用いて構成されていることを特徴とする物干し竿支持具。
【請求項２】
前記フックには、該フックの先端部分とで前記カーテンレールを係止可能な係止駒が設けられている
ことを特徴とする請求項１に記載の物干し竿支持具。
【発明の詳細な説明】
【技術分野】
【０００１】
本発明は、物干し竿支持具に関するものであり、詳しくは、カーテンレールを用いて物干し竿を室内の上部に支持することができる物干し竿支持具に関するものである。
【背景技術】
【０００２】
室内にて洗濯物を干すことができるように種々の室内用の物干し台が案出されているが、物干し台を室内の床の上に置くのは邪魔である。
【０００３】
そこで、従前より、室内で邪魔にならないように洗濯物を干す簡便な手法として、洗濯物をハンガーに掛けて、このハンガーをカーテンレールにぶら下げることが一般的になされていた。
【発明の概要】
【発明が解決しようとする課題】
【０００４】
しかしながら、カーテンレールにハンガーをぶら下げると、カーテンを開け閉めすることができなくなってしまう。
【０００５】
また、カーテンレールは、カーテン程度の軽量物をぶら下げることができればよいものであり、重量物の負荷に十分に耐え得るように設定されていないのが通常である。よって、ジーンズやバスタオル等の重量のある洗濯物を干すと、カーテンレールが破損してしまう虞がある。
【０００６】
本発明は、上記実情を鑑みてなされたものであり、カーテンレールを用いて物干し竿を室内に支持することができる新規な物干し竿支持具であり、洗濯物を干してもカーテンの開け閉めの邪魔にならず、また、重量のある洗濯物も干すことができる物干し竿支持具の提供を課題とする。
【課題を解決するための手段】
【０００７】
上記課題を解決するために本発明の採った主要な手段は、
「窓近辺の窓枠、柱、壁等の建築構造物に当接される当接部、及び、該当接部から突出し、先端部分に物干し竿が載置されるアーム、を有する本体と、
カーテンレールに前記本体を吊下げるために該カーテンレールに取付けられる取付具であり、前記アームに組付け位置を調節可能に組付けられた取付具と
を備えることを特徴とする物干し竿支持具」
である。
【０００８】
上記構成の物干し竿支持具は、取付具を介して本体をカーテンレールに吊下げて、本体のアームの先端部分に物干し竿を載置することができるものであり、カーテンレールを用いて物干し竿を室内の上部に支持することができるものである。
【０００９】
また、上記構成の物干し竿支持具では、本体のアームの先端部分に物干し竿が載置されることから、この物干し竿支持具を用いれば、カーテンレールの前方に物干し竿を配置することができる。よって、物干し竿に洗濯物をぶら下げても、洗濯物が邪魔にならずにカーテンを開け閉めすることができる。
【００１０】
ところで、カーテンレールは、重量物の負荷に十分に耐え得るものではなく、物干し竿の支持具を単にカーテンレールに取付けただけでは、洗濯物を干した場合に、洗濯物の荷重によってカーテンレールが破損する虞がある。
【００１１】
これに対して、上記構成の物干し竿支持具は、本体のアームの先端部分に物干し竿が載置されるものであり、物干し竿に洗濯物を干した場合に、アームの先端部分に負荷が加わるものである。よって、取付具を支点としたモーメント荷重がカーテンレールに加わるのであるが、上記構成の物干し竿支持具では、本体の当接部が窓近辺の窓枠、柱、壁等の建築構造物に当接されることから、アームの先端部分の負荷が当接部によって建築構造物を押す力となり、カーテンレールに加わるモーメント荷重は、建築構造物からの当接部への抗力によって打ち消される。このため、カーテンレールにモーメント荷重が加わることがない。
【００１２】
また、洗濯物を干した場合の物干し竿支持具全体に加わる垂直荷重については、本体の当接部が建築構造物に当接していることから、当接部と建築構造物との接触抵抗として分散され、全ての垂直荷重がカーテンレールに加わることがない。
【００１３】
以上のことから、上記構成の物干し竿支持具によれば、脆弱なカーテンレールであってもカーテンレールが破損することなく重量のある洗濯物を干すことができる。
【００１４】
なお、上記構成の物干し竿支持具では、本体のアームに対する取付具の組付け位置が調節可能であることから、カーテンレールと建築構造物との間の寸法が区々であっても、アームに対する取付具の組付け位置を調節することで、本体の当接部を建築構造物に確実に当接させることができる。
【００１５】
上述した手段において、
「前記取付具は、
Ｌ字状のフックと、
下部にて前記アームをスライド可能に挟持し、上部にて前記フックをスライド可能に挟持する一対の挟持片と
を用いて構成されている
ことを特徴とする物干し竿支持具」
である。
【００１６】
上記構成の物干し竿支持具は、取付具の構成を具体的に特定したものである。
【００１７】
取付具の構成部材として、本体のアームをスライド可能に挟持する一対の挟持片を用いることで、アームに対する組付け位置が調節可能な取付具を簡単な構造によって実現することができる。
【００１８】
また、一対の挟持片によってスライド可能に挟持されたＬ字状のフックを具備することから、フックの先端部分と挟持片とでカーテンレールを挟み込むことで、カーテンレールに取付け具を簡便に取付けることができる。
【００１９】
上述した手段において、
「前記フックには、該フックの先端部分とで前記カーテンレールを係止可能な係止駒が設けられている
ことを特徴とする物干し竿支持具」
とするのが好適である。
【００２０】
カーテンレールの形態やカーテンレールの建築構造物への取付け態様は多種多様であり、挟持片とフックによってはカーテンレールを堅固に挟持できない場合がある。すなわち、挟持片とフックによっては取付具をカーテンレールに堅固に取付けることができない場合がある。
【００２１】
これに対して、上記構成の物干し竿支持具では、フックに、フックとでカーテンレールを係止可能な係止駒をさらに設けることで、挟持片とフックによっては取付具をカーテンレールに取付けることができない場合であっても、フックと係止駒とを用いて取付具をカーテンレールに取付けることができ、多種多様なカーテンレールの形態やカーテンレールの建築構造物への取付け態様に対応することができる。
【発明の効果】
【００２２】
上述した通り、本発明によれば、カーテンレールを用いて物干し竿を室内に支持することができる新規な物干し竿支持具であり、洗濯物を干してもカーテンの開け閉めの邪魔にならず、また、重量のある洗濯物も干すことができる物干し竿支持具を提供することができる。
【図面の簡単な説明】
【００２３】
【図１】本発明に係る物干し竿支持具の一例を示す側面図である。
【図２】図１のＡ−Ａ断面図である。
【図３】図１に示した物干し竿支持具の使用状態を示す正面図である。
【図４】カーテンレールに取付具を取付ける別の例を示す要部断面図である。
【図５】カーテンレールに取付具を取付ける別の例を示す要部断面図である。
【図６】カーテンレールに取付具を取付ける別の例を示す要部断面図である。
【発明を実施するための形態】
【００２４】
本発明に係る物干し竿支持具の実施形態としての一例を、以下、図面に従って詳細に説明する。
【００２５】
図１及び図２に、本発明に係る物干し竿支持具１００の一例を示す。
【００２６】
この物干し竿支持具１００は、金属製の角パイプ（１２ｍｍ角、肉厚１ｍｍ）によってＬ字状に形成された本体１０を有しており、Ｌ字状の本体１０の一辺が、下方に延出して窓枠、柱、壁等の建築構造物３に当接される当接部１１となっている。また、Ｌ字状の本体１０の他の一辺が、当接部１１から前方に突出するアーム１２となっており、このアーム１２の先端部分には、物干し竿４を載置する半円弧状の竿掛け１３が設けられている。
【００２７】
また、本体１０のアーム１２には、カーテンレール１に本体１０を吊下げるためにカーテンレール１に取付けられる取付具２０が、アーム１２に対する組付け位置を調節可能に組付けられている。
【００２８】
ここで、本例では、取付具２０が、一対の挟持片２１とＬ字状のフック２２とを用いて構成されており、挟持片２１の内側の下部には、アーム１２の側面にスライド自在に嵌合するアーム溝２１ａが設けられている。また、挟持片２１の内側の上部には、フック２２の側面にスライド自在に嵌合するフック溝２１ｂが設けられている。そして、一対の挟持片２１の一方には、挟持ネジ２３を挿通させるネジ孔２１ｃが穿設されており、他方には、挟持ネジ２３に螺合する雌ネジ２１ｄが刻設されている。
【００２９】
挟持ネジ２３を緩めることで、アーム１２に対して挟持片２１を移動させることができ、これにより、アーム１２に対する取付具２０の組付け位置を調節することができる。また、挟持ネジ２３を緩めることで、挟持片２１に対するフック２２のスライド量を変更することができ、フック２２の先端部分と挟持片２１とで、カーテンレール１を幅方向に挟持することができる。そして、挟持ネジ２３を締付けることで、アーム１２の側面を一対の挟持片２１によって堅固に挟持させることができ、また、同時に、フック２２の側面を一対の挟持片２１によって堅固に挟持させることができる。
【００３０】
このような取付具２０によってカーテンレール１に本体を吊下げ、図３に示すように、カーテンレール１の左右の夫々に物干し竿支持具１００を取付けて、物干し竿支持具１００に物干し竿４を載せることで、室内の上部のカーテンレール１の前方に物干し竿４を配置することができる。ここで、図３においては、本体１０の当接部１１を、建築構造物３としての窓枠に当接させてあるが、当接部１１を、窓２近辺の柱や壁等の他の建築構造物３に当接させてもよい。
【００３１】
なお、本例では、本体１０のアーム１２の長さが３５０ｍｍといったように十分に長く設定されており、物干し竿４に洗濯物を干してもカーテン（図示省略）の開け閉めの邪魔にならないように、物干し竿４をカーテンレール１の前方に十分な間隔を開けて配置できるようにしてある。
【００３２】
また、物干し竿４に洗濯物を干すと、本体１０のアーム１２の先端部分に洗濯物の荷重による負荷が加わり、取付具２０を支点としたモーメント荷重（図１の矢印Ｂ参照）が加わるのであるが、このモーメント荷重は、本体１０の当接部１１が建築構造物３を押す力（図１の矢印Ｃ参照）となり、カーテンレール１には、モーメント荷重による捻る力が加わらない。よって、脆弱なカーテンレール１であっても、破損することがない。
【００３３】
また、物干し竿４に洗濯物を干した場合に加わる垂直荷重については、本体１０の当接部１１が建築構造物３に当接していることから、物干し竿支持具１００に加わる垂直荷重は、当接部１１と建築構造物３との接触抵抗力に分散される。よって、物干し竿支持具１００に加わる垂直荷重の全てがカーテンレール１に加わることはなく、この点からも、脆弱なカーテンレール１であっても、破損することがない。
【００３４】
ここで、本例では、本体１０の当接部１１の長さが１５０ｍｍといったように十分に長く設定されており、アーム１２の先端部分のモーメント荷重を当接部１１が建築構造物３を押す力に確実に変換され、また、物干し竿支持具１００全体に加わる垂直荷重が当接部１１と建築構造物３との接触抵抗力として的確に分散されるようにしてある。
【００３５】
なお、本例の物干し竿支持具１００を一般的なカーテンレール１に取付けて、物干し竿支持具１００の先端部分に５ｋｇの錘を吊下げたところ、カーテンレール１が破損しなかったことは検証済みである。
【００３６】
図４に、取付具２０をカーテンレール１に取付ける他の態様を示す。この態様は、室内の壁にカーテンレール１を支持するカーテンレール１の支持金具１ａを挟持片２１によって挟持させることでカーテンレール１に取付具２０を取付けたものである。
【００３７】
また、図５及び図６に示すように、フック２２に係止駒２４，２６を設けて、フック２２の先端部分と係止駒２４，２６とでカーテンレール１を係止することでカーテンレール１に取付具２０を取付けることもできる。なお、図５及び図６に示す例は、カーテンレール１の下方にフック２２を配置してカーテンレール１に取付具２０を取付ける例であり、このような態様であれば、天井や窓枠の下面にカーテンレール１が直付けされており、カーテンレール１の上方にフック２２を配置することができない状態であっても、カーテンレール１に取付具２０を取付け、もって、物干し竿支持具１００をカーテンレール１に取付けることができる。
【００３８】
図５は、側面にクビレを有するカーテンレール１のクビレを用いて取付具２０を取付ける例である。本例では、フック２２に雌ネジ２２ａが刻設され、係止駒２４に長孔２４ａが穿設されており、フック２２に対して係止駒２４が移動可能となっている。係止駒２４の長孔２４ａに挿通され、フック２２の雌ネジ２２ａに螺合された固定ネジ２５を締付けることで、先端が鋭角状となった係止駒２４の先端部分とフック２２の先端部分とでカーテンレール１を係止させることができる。
【００３９】
一方、図６は、カーテンレール１の上部の角部に係止駒２６を係止させることでカーテンレール１に取付具２０を取付ける例である。本例では、フック２２に長孔２２ｂが穿設され、係止駒２６に雌ネジ２６ａが刻設されており、フック２２に対して係止駒２６が移動可能となっている。フック２２の長孔２２ｂに挿通され、係止駒２６の雌ネジ２６ａに螺合された固定ネジ２７を締付けることで、先端が鋭角状となった係止駒２６の先端部分とフック２２の先端部分とでカーテンレール１を係止させることができる。
【符号の説明】
【００４０】
１  カーテンレール
１ａ  支持金具
２  窓
３  建築構造物
４  物干し竿
１０  本体
１１  当接部
１２  アーム
１３  竿掛け
２０  取付具
２１  挟持片
２１ａ  アーム溝
２１ｂ  フック溝
２１ｃ  ネジ孔
２１ｄ  雌ネジ
２２  フック
２２ａ  雌ネジ
２２ｂ  長孔
２３  挟持ネジ
２４  係止駒
２４ａ  長孔
２５  固定ネジ
２６  係止駒
２６ａ  雌ネジ
２７  固定ネジ
１００  物干し竿支持具
【図１】
0005420331.tif 000002
【図２】
0005420331.tif 000003
【図３】
0005420331.tif 000004
【図４】
0005420331.tif 000005
【図５】
0005420331.tif 000006
【図６】
0005420331.tif 000007